(57)【要約】【課題】  小用に係わる事情をもち、トイレに立つことに負担を感じている人々が、普段の生活の場で、簡易且つ安全、衛生的に用いることができる上に携帯もできる尿器の提供。【解決手段】  任意形状の尿容器（１）の上方側部に尿容器口部（３）を形成し、これに放尿管ガイド（４）をゆるやかに傾斜して底部に達するように挿入し、この放尿管ガイド（４）内の下部には、コイルバネ（７）を伸縮自在に挿設し、また放尿管ガイド（４）の上部には、コイルバネ（７）と人力で出入可能に管状の放尿管（１０）を挿入し、使用時にはネジ蓋（２）を取り外して放尿管（１０）を突出させて用い、使用時（放尿時）以外は、放尿管（１０）を放尿管ガイド（４）に収納して、尿容器口部（３）との間にネジ蓋（２）がしておける構成とした尿器とする。【選択図】図１
2007275522.tif 000002
【特許請求の範囲】
【請求項１】
高さを抑えた任意形状の尿容器の上方側部に、筒状に突出し且つネジ蓋と対応のネジを有する尿容器口部を形成し、これに放尿管ガイドをその一端が尿容器底部にゆるやかに傾斜して達するように挿入し、また放尿管ガイドの他端には、該放尿管ガイドに直角に突出する環状縁を形成し、その内側には環状のパッキンを嵌着して尿容器口部に当接すると共に、前記放尿管ガイドの下部にはコイルバネを伸縮自在に挿設し、更に放尿管ガイド上部には、上部端に環状縁を有し、その内方には環状のパッキンを有する長めで筒状のままの放尿管を、前記コイルバネの弾力や人力によって出入可能に挿入し、更に前記尿容器口部には、前記の放尿管を放尿管ガイドに収納して、内側にパッキンを有するネジ蓋が螺嵌できる構成とした尿器。
【請求項２】
所要の長さの輸尿管の一端と尿容器とを、その内部どうしを連通させて着脱可能に連結し、他端は蓋の嵌着される放尿口を有し且つ筒状部分が長めである放尿管と連通させて連結し、前記の尿容器はキャスター付きの載台に載置し、また放尿管は載台から上方に立設した所要数の支持立体の上部に設けた掛具に着脱可能に取り付けた構成の尿器。
【請求項３】
所要の長さの輸尿管の一端と尿容器とを、その内部どうしを連通させて着脱可能に連結し、他端は蓋の嵌着される放尿口を有し且つ筒状部分が長めである放尿管と連通させて連結し、前記の尿容器はキャスター付きの載台に載置し、また放尿管は載台から上方に立設した支持立体の上部に設けた掛具に着脱可能に取り付けると共に、前記支持立体の上部又は該上部に設けた付設物に、カーテンレール又は棒状物を略載台の形と大きさで付設し、該カーテンレール又は棒状物にカーテンを吊設し、内部遮蔽ができる構成とした尿器。
【請求項４】
載台から上方に立設した支持立体の所要位置に、取付具を介してティッシュ箱及びゴミ収容具を交換可能に配備した請求項２又は３記載の尿器。
【発明の詳細な説明】
【技術分野】
【０００１】  本発明は、トイレに立つことが特に負担となっている入院者や身体障害者及び、夜間のトイレが負担の老人や頻尿者及び渋滞時の車内の人々等が、その場で安全且つ簡易に用いることができる尿器に関する。
【背景技術】
【０００２】  溲瓶に類する尿器は、病院だけでなく、家庭でも小用に係る事情を有する人たちに用いられることが多くなってきており、また、文献や新聞等でも先行の技術が紹介され、近年この分野への関心の高まりを感じる。従って、すでに公用の尿器も多く、また文献等で紹介された公知の技術も多い。
本発明に近い要件をもつと考えられる文献を挙げれば、下記のようなものがある。【０００３】
【特許文献１】  実開昭５５−６４９９８号公報
【特許文献２】  特開２００５−５２６０８号公報
【特許文献３】  特開昭６３−１０２７５７号公報
【特許文献４】  特開２００２−６５５０７号公報
【特許文献５】  特許第３４７７３７８号公報
【０００４】  しかし、上記の文献で示される先行技術においても、下記のような問題点が見られる。
【発明の開示】
【発明が解決しようとする課題】
【０００５】  本発明では、先行技術の構造とその機能・効果等について問題点を追求してきたが、以下は、その問題点の主たるものである。
▲１▼  構造上の不備から不安定で、使用者のちょっとした不手際でも、器外への尿もれが生じやすいものがある。
▲２▼  放尿管（放尿部）が短い上に、ろう斗状になっているので、放尿に際し飛散（跳ね返り）が生じやすく、放尿管や使用者の陰部を汚すことになるものが多い。汚れは不潔であるばかりでなく、やがて腐敗・発臭となる。
▲３▼  尿器（特に放尿管）の密閉性が確立されていないものがあり、外部に臭いのでるものがある。
▲４▼  放尿に際し、尿容器の内壁又は容器内の尿との間におこる衝突音の大きいものがある。
▲５▼  尿容器の大きさや尿容器の構造から、使用の度毎に廃棄しなければならないものがある。頻尿の人には困ることである。少なくとも３度分位の貯尿ができ、その上、器外漏れがなく、安全に使用できるものでなければならない。
▲６▼  ベッド上や寝具上又は中で、横になった状態で簡易且つ安全に用いることができないものがある。
▲７▼  放尿時の機能性だけを追求し、廃棄（尿）上の不備や、廃棄に際して、尿の滴りが生じる構造になっていることに頭を向けていないものがある。【０００６】  本発明は、以上の問題点の解決を図り、それぞれの場で、不快感を伴うことなく、簡易且つ安全に使用ができる尿器の具現を課題（目標）とする。また、この課題の解決には、使用者の中には身体の機能の劣る人たちがおられることも前提におき、展開していく必要があると考える。
【課題を解決するための手段】
【０００７】  本発明は、上記の課題に対して、携帯型の尿器とキャスター付き載台を生かした尿器の２形態を中心に据え、その解決を図ることにした。以下、携帯型尿器とキャスター付載台を生かした尿器について説明し、更にこれに付随する解決法を提起する。【０００８】（１）上記携帯型尿器の尿容器は、使用時の転倒等を避けるため、その高さを抑え、底部が広い面を有するものとする。該尿容器は各種の形状が考えられるが、そのいずれにおいても、長手方向の側部上方には、筒状に突出し且つその外方にネジ蓋を螺嵌するためのネジを有する尿容器口部を形成し、これに、放尿管とコイルバネを挿設するための放尿管ガイドを、その挿入端（先端）が尿容器底部に、緩やかに傾斜して達するように挿入する。従って、前記の尿容器口部も放尿管ガイドの傾斜と一致する傾斜を有するものとなる。また、放尿管ガイドの他端は、該放尿管ガイドに直角且つ環状に突出する環状縁が形成され、その内方には座金状の環状パッキンを嵌め、尿容器口部に当着する。【０００９】  次に、放尿管ガイドの下部には、その内部で伸縮を自在とする外径のコイルバネを挿設し、更に該放尿管ガイドの内部上方には、その上部端部に、前記放尿管ガイドの場合と同様な環状縁と環状パッキンを有する放尿管を、前記コイルバネの弾力と人力とにより出入可能に挿設する。
また、尿容器口部は、ネジ蓋が螺嵌できる構成とするので、放尿管を放尿管ガイドに収容してネジ蓋を螺嵌すれば、パッキンの機能もはたらき、尿容器を密封することができる。従って尿容器からの尿もれは防止される。また、縦長状態で携帯が可能となる。なお、屋外携帯では、尿容器が収まるかばん、ケース、袋等を用いることが望ましい。【００１０】  尿容器の所要側部には、携帯又は放尿操作等のための把手を設ける。把手は、その形状を問わない。また、尿容器口部と反対となる側の上部に蓋付きの廃棄口を形設する。
放尿に際しては、男性は放尿口から放尿管内に陰茎を挿入する。女性は後述のような女性用放尿管を、前記放尿管に挿嵌、これに陰部を当接して用いる。【００１１】（２）一方、キャスター付の載台を用いて成る尿器では、所要の長さの輸尿管の一端と、開口部を放尿口とする放尿管を連通させて連結し、また他端は尿容器と内部どうしを連通させて連結した後、尿容器はキャスター付の載台に載置し、放尿管は、載台から上方に立設の支持立体上部に設けた掛具に着脱可能に掛着する。
放尿管は長めで且つその一側面が直状であるろう斗型とし、その放尿口には蓋の冠着ができる構成とする。
男性が使用する場合は、放尿管のみでもよいが、女性の場合は、前記の放尿管に女性用放尿管を挿嵌して用いる。なお、女性用放尿管は、常時挿設しておき、男女兼用にすることも可能である。【００１２】（３）女性用放尿管は、陰部に当接する放尿口が略楕円形のじょうご型部分と管状部分から成る形状とし、これを前述の携帯型尿器とキャスター付き載台を用いて成る尿器の各放尿管に挿嵌して用いる。なお、女性用放尿管を形成する足の部分は長めに構成する。【００１３】（４）また、本発明では、上述のキャスター付の載台を用いて成る尿器において、載台から立設される支持立体の上部又は該上部に設けた天板等の付設物に、カーテンレール又は棒状物（針金状物）を略載台の形と大きさで付設し、これにカーテンを吊設して、尿容器や輸尿管及び放尿管等が外方から見えない構成にすることも可とする。【００１４】（５）更に、本発明は、キャスター付載台を用いて成る尿器における支持立体の必要部位に、放尿に際し必要となりやすいティッシュ箱とゴミ入れ等を着脱（取替え）可能に取り付けた構成も可とする。また、前記の外に、尿の廃棄に際し、尿容器から取り外した輸尿管のその端部を入れる受け容器を支柱下部又は載台上に設けた構成も可とする。
【発明の効果】
【００１５】  請求項１に関する発明では、
▲１▼  使用しないときは、放尿管を放尿管ガイド中に挿入し、ネジ蓋を尿容器口部に螺嵌すれば、イ．臭気がもれない、ロ．パッキンの機能で尿容器外に尿がもれない、ハ．携帯が可能となる等の利点が生じる。また、高さを抑えた尿容器にしているので、倒れにくい長所がある。
▲２▼  放尿管を、ろう斗型とせず、長めで筒状のものとしているので、放尿の放尿管内での跳ね返り（飛散）がなく、また、放尿管ガイドと放尿管の間隙から尿容器内の空気が抜け、逆流もないので、管内や人の陰部を汚さない利点がある。
▲３▼  ネジ蓋をはずせば、放尿管はコイルバネの弾力で自動的に突出するので、煩労なく衛生的に使用することができる。また、放尿管の汚れも生じにくい。これは、本発明の大きな効果である。
▲４▼  放尿管ガイドを、ゆるやかな傾斜で設置しているので、放尿は滞ることなくゆるやかに流れ下るので、音の発生は少ない。また、尿の逆流もない。
▲５▼  使用時は、男女ともコイルバネの弾力が陰部の方向に働くので、放尿管の陰部からの遊離が生じにくい利点がある。
▲６▼  また、本尿器の放尿口の高さは、人の横向き又は仰向姿勢での陰部の高さと略一致するので、寝具上で、上記姿勢のまま楽に用いることができる。【００１６】  請求項２に関する発明では、
▲１▼  キャスター付載台が、尿容器の重さを支えているので、使用者は尿容器の保持や放尿時の操作等から解放され、ただ、放尿のための放尿管の操作・保持だけでよい利点は大きい。放尿管は軽量な上に、支持立体の着脱しやすい高さに掛着しているので、使用及び後始末等も即座に行うことができ利便である。また、簡易な放尿が可能である。従って、身体の不自由な人や夜間のトイレが負担な人、ベッドでの生活が長い人、頻尿の人等には福音である。
▲２▼  尿容器は、載台に支えられており、使用に際し人が持つことがないので、尿もれなどの問題が生じにくく、安全な使用が可能である。廃尿するときは、尿容器から輸尿管を外し、尿容器だけを持っていけばよい。煩労の少ない利点は大きい。
▲３▼  本発明は、放尿管のみの操作・保持でよいので、ベッドで就寝の人は、寝具の中で横向き又は仰向のままで、安全に使用することが可能である。
▲４▼  床上で使用の場合は、膝立ち姿勢のままで対応ができる。
▲５▼  放尿管には蓋があり、また輸尿管や尿容器にも密閉性があるので、外部に臭いがもれることはない。
▲６▼  キャスター付きなので、必要に応じ楽に移動させることができる利点は大きい。【００１７】  請求項３に関する発明では、
支持立体の上部又は天板等の付設物に、カーテンレール又は棒状物を取り付けて、これにカーテンを吊設するので、内部の器具類が外部から見えないことによる清潔感の感得や精神安定面の効果は大きい。【００１８】  請求項４に関する発明では、次の効果が発揮される。即ち、放尿の前後には、衛生面から拭き取りを必要とすることがあるが、この時、支持立体の適当な高さに取り付けているティッシュ箱及びゴミ収容具によって、即座且つ簡易にそれに対応することができ、便利である。特に、身体の不自由な人や高齢者及びベッド上にある人には福音である。
【発明を実施するための最良の形態】
【００１９】  本発明を実施するための最良の形態について、図面を参照して説明する。図１は屋内使用の外、屋外での携帯使用も可能とする携帯型の尿器（５０）を示しているが、この中心となる尿容器（１）は、長手方向の長さを約２０ｃｍ、底部幅を約１２ｃｍ、高さを約１０ｃｍにして実施している例を示している。また、尿容器（１）の形状は、方形状、台形状、かまぼこ状などの外、いろいろと考えられるが、いずれも高さを抑えた安定形状のものとする。また、尿容器（１）の所要部には、放尿や廃棄の際に用いる把手（１２）を形成する外、その長手方向端の上部には廃棄口（１１）を形成し、その反対側となる上部域には、ネジ蓋（２）の螺嵌のためのネジ等が形設された尿容器口部（３）を若干突出させて形作る。図１における尿容器口部（３）の突出は、３〜４ｃｍであるが、これは限定されるものではなく、尿容器（１）の形状によって突出の度合いは異なる。【００２０】  尿容器口部（３）の内径は、略５ｃｍで、内方下りの緩やかな傾斜を有するものとなっている。この尿容器口部（３）に、尿容器口部（３）に内接して嵌まる略２２ｃｍの管状の放尿管ガイド（４）を、その一端（先端）が緩やかな傾斜を以って尿容器（１）の底部に達するように挿入し、他端には放尿管ガイド（４）に対し直角に曲折した形となる環状縁（８）を形設し、この内方に座金状のパッキン（９）を取り付け、これを尿容器口部（３）に当着する。【００２１】  放尿管ガイド（４）を尿容器口部（３）に挿設後、該放尿管ガイド（４）内の下部に、コイルバネ（７）を伸縮可能に挿設し、この上部に、上方端に環状縁（５）と環状パッキン（６）を有する長さ略１３ｃｍの放尿管（１０）を挿入する。なお、この時、上記のコイルバネ（７）と放尿管（１０）の外径は、放尿管ガイド（４）の内径より２ｍｍ程度小さくし、放尿管ガイド（４）内で自在に動くことができるようにしておく。
なお、未使用の時は、放尿管（１０）を放尿管ガイド（４）内に収め、尿容器口部（３）にネジ蓋（２）を螺嵌する。放尿管（１０）は、内径を４．３ｃｍ程度に構成し、男性陰茎が放尿口（１４）より挿入しやすいようにしている。【００２２】  図１における尿器（５０）を構成する部材の総てが、合成樹脂によって実施できることが望ましい。コイルバネ（７）も合成樹脂で作ることが望ましいが、腐蝕に強い金属によるものであってもよい。【００２３】  次に、図１で示す尿器（５０）の作用について説明する。
尿容器（１）は、前述の寸法から判断すれば、尿の深さ４ｃｍ程度で１リットルとなるので、通常は、ここまで達するのに数回の使用が可能である。従って、この量毎に廃棄するのが望ましい。廃棄に際しては、ネジ蓋（２）と廃棄口（１１）の蓋を取り、廃棄口（１１）を使って廃棄する。廃棄後は簡単な洗浄をすることが望ましいが、何度かに１度は、部品を取りはずしての洗浄が必要である。この時酢酸を少量混入すると有効である。【００２４】  放尿するときは、ネジ蓋（２）をはずして、コイルバネ（７）の弾力による放尿管（１０）の突出を待って、男性の場合は、放尿口（１４）より放尿管（１０）内に陰茎を挿入して行う。女性の場合は、後述の図４の如く、女性用放尿管（２８）を放尿管（１０）に挿設してから、その放尿口（１４ｂ）を陰部に当接して行う。
なお、図１で示す尿器（５０）の放尿管（１０）は、突出したときの放尿口（１４）の中心部の高さが、尿容器（１）の底部から９〜１０ｃｍとなるので、使用に際しては、寝具中で横向き又は仰向の姿勢でも放尿ができる利点がある。【００２５】  図２は、キャスター付載台及び支持立体（１７）の機能を生かした尿器（５０ａ）についてその側面図（Ａ）と正面図（Ｂ）を示すものであるが、ここでは、支持立体（１７）として支柱（１７ａ）で実施する場合を例示している。
この尿器（５０ａ）では、所要の長さの輸尿管（１５）の一端に開口部を放尿口（１４ａ）とする放尿管（１０ａ）を、その内部どうしを連通させて連結し、また、他端は尿容器（１ａ）に挿入した構成を形成した後、前記尿容器（１ａ）は、キャスター（２０）付きの載台（１９）に載置し、放尿管（１０ａ）は、載台（１９）から上方に立設の支柱（１７ａ）上部に設けた掛具（１８）の切欠（２９）に通して掛着する。【００２６】  図２における載台（１９）の大きさは、長手（縦）方向略３０ｃｍ、横方向略２３ｃｍの板状のものとし、その下面の角部や所要部にキャスター（２０）を取り付ける。また、長手方向の辺の側縁域に２個の支柱（１７ａ）を対にして立設し、その上部は連結されハンドル（２２）となっている。ハンドルまでの高さは、ベッド使用者の便も考え、床から略７０ｃｍとする。支柱（１７ａ）の上部には、片側に部品入れ（２３）を設けている掛具（１８）を２支柱間をつないで架設し、該掛具（１８）の所要点に、奥部が拡幅されている切欠（２９）を形成する。これにより、掛着した放尿管（１０ａ）は脱落しない。
放尿管（１０ａ）は、図１の場合と同様、内径を略４．３ｃｍとし、且つこの径での放尿管（１０ａ）の長さを１３ｃｍ程度のものとし、放尿口（１４ａ）には蓋（２１）が冠着されるものとする。また、掛具（１８）に設けられている部品入れ（２３）は、使用上必要とする部品（例えば、女性用放尿管）の保管等に用いる。【００２７】  図２で示す尿器（５０ａ）の素材は、木材、合成樹脂、金属、ゴム等、いろいろ考えられるが、その例は枚挙に遑がない。図２の場合は、合成樹脂で形成するすることがのぞましい。輸尿管（１５）は、軟質の合成樹脂製又はゴム製の管がよい。しかし、載台（１９）、支柱（１７ａ）等は、木材を素材として用いて実施することであってもよい。【００２８】  これを用いるときは、支柱（１７ａ）又はハンドル（２２）に手をかけ、尿器（５０ａ）を引き寄せ、放尿管（１０ａ）を掛具（１８）よりはずし、これに男性は陰茎を挿入して用いる。また、女性は図１の場合と同様、図４で示すように放尿管（１０ａ）に、女性用放尿管（２８）を挿入し、放尿口（１４ｂ）を陰部に当接して用いる。
使用後は、ハンドル（２２）や支柱（１７ａ）を押して、寝具やベッド等から離すか、又は、所定の位置に戻すことを行う。いずれも即座且つ簡易である。また、尿容器（１ａ）は、キャスター（２０）付載台（１９）の機能で、尿が溜まっても、放尿上の問題や負担がないが、１ｌを超えたら、廃棄口（１１ａ）をあけ、廃棄することがのぞましい。
廃棄の際は、尿容器（１ａ）より輸尿管（１５）を引き離し、尿容器（１ａ）だけを運搬する。なお、尿容器（１ａ）と輸尿管（１５）の連結では、尿容器口部の蓋に穴をあけ、これにゴムパッキンを嵌め、これに輸尿管（１５）を通して臭気が出ないようにする。
以上は、支持立体（１７）として、支柱（１７ａ）によって実施した場合を示したが、板状体（１７ｂ）や箱状体のよる実施であってもよい。【００２９】  図３で示す実施の形態は、請求額３に基づくものであるが、ここでは、載台（１９）から上方に立設される支持立体（１７）の上部又は上部に設けた付設物にカーテンレール（３０）又は針金状の棒状体を付設した後、これにカーテン（３１）を吊設して、内部の尿容器（１ａ）や輸尿管（１５）及び放尿管（１０ａ）等が、外部から見えないように構成したものである。
上記における支持立体（１７）としては、支柱（１７ａ）又は板状体（１７ｂ）の外、箱状のものも考えられるが、図３では板状体（１７ｂ）を用いて実施した場合を示している。【００３０】  これについて詳述すれば、載台（１９）の長辺側方に該長辺に略等しい幅の板で成る板状体（１７ｂ）を、その上部が床面より７０ｃｍ程度となるように立設し、その上部に天板（３２）を取り付ける。天板（３２）は、載台（１９）の大きさと略同等の大きさにし、各々の長辺と短辺が重なるように設置する。そして、天板（３２）周縁の３辺（板状体部分は除く）にカーテンレール（３０）を付設する。
また、支柱（１７ａ）及び板状体（１７ｂ）に天板（３２）を付設しない時は、支柱（１７ａ）又は板状体（１７ｂ）に直接カーテンレール（３０）又は棒状体（針金状体）を付設して、これにカーテン（３１）を吊設する。これを用いるときは、放尿時や尿を廃棄する時であるが、カーテンは必要な幅だけ開閉すればよい。【００３１】  図５で示す実施の形態は、図２及び図３で示す形態の支柱（１７）及び板状体（１７ｂ）に、ティッシュ箱（２４）とゴミ収容具（２６）を付設した形態を示しているが、図５では、板状体（１７ｂ）を用いて実施する場合を例示している。
図５について更に説明すれば、載台（１９）から上方に立設した板状体（１７ｂ）の上部の所要箇所に、各々、留具（２５）や箱留め（２７）を形設し、これらを介して、ゴミ収容具（２６）やティッシュ箱（２４）を設置するものであるが、図５では、ゴミ収容具（２６）として、ゴミ袋（２６ａ）を留具（２５）によって吊着している例を示している。【００３２】  図５で示す実施の形態は、請求項４に基づくものであるが、その目的は、使用に際し、とかく発生しやすい放尿管（１０ａ）や陰部の汚れ等を、いつでも即座且つ簡単に拭き取り、衛生的且つ気持よく使用することができるようにすることにある。【００３３】  図４は、上記図１、図２の尿器（５０、５０ａ）を女性が使用するときに必要とする女性用放尿管（２８）を図１の場合を例に、放尿管（１０）に挿設した様子を示したものである。放尿口（１４ｂ）は、女性陰部に当接するところで、図４の女性用放尿管（２８）は、足（１６）を長くして、尿もれ（汚れ）の少ない構成にしている。
女性用放尿管（２８）は、軟質の合成樹脂を用いて、陰部への当接性をよくしている。
【図面の簡単な説明】
【００３４】
【図１】  本発明の携帯型の尿器の縦断面図である。
【図２】  （Ａ）本発明のキャスター付きの尿器の側面図である。（Ｂ）上記（Ａ）の正面図である。
【図３】  遮蔽カーテンを付設した尿器を示す正面図である。
【図４】  女性用放尿管の挿設を示す側面である。
【図５】  ティッシュ箱及びゴミ収容具を備えた尿器を示す正面図である。
【符号の説明】
【００３５】  １、１ａ    尿容器
２          ネジ蓋
３          尿容器口部
４          放尿管ガイド
５、８      環状縁
６、９      パッキン
７          コイルバネ
１０、１０ａ    放尿管
１１、１１ａ    廃棄口
１２、１２ａ    把手
１３            パッキン
１４、１４ａ、１４ｂ    放尿口
１５        輸尿管
１６        足
１７        支持立体
１７ａ      支柱
１７ｂ      板状体
１８        掛具
１９        載台
２０        キャスター
２１        蓋
２２        ハンドル
２３        部品入れ
２４        ティッシュ箱
２５        留具
２６        ゴミ収容具
２６ａ      ゴミ袋
２７        箱留め
２８        女性用放尿管
２９        切欠
３０        カーテンレール
３１        カーテン
３２        天板
５０、５０ａ    尿器
【図１】
2007275522.tif 000003
【図２】
2007275522.tif 000004
【図３】
2007275522.tif 000005
【図４】
2007275522.tif 000006
【図５】
2007275522.tif 000007